(57)【要約】      （修正有）【課題】遮音性能がよく、使い勝手のよい耳栓を提供する。【解決手段】剛性を有する中空の外体１，３を設けるとともに、外体１，３内に音の遮断性を有する充填材７を充填し、外体１，３の一端に、耳穴に挿入可能サイズのフランジ部１２を有するとともに、柔軟性と弾力性を有するソフトフランジ体１０を取り付ける。耳穴にフィットして外音を遮断することができる。【選択図】図４
0003189556.tif 000002
【実用新案登録請求の範囲】
【請求項１】
剛性を有する中空の外体を設けるとともに、該外体内に音の遮断性を有する充填材を充填し、外体の一端に、耳穴に挿入可能サイズのフランジ部を有するとともに、柔軟性と弾力性を有するソフトフランジ体を取り付けることにより、耳穴にフィットして外音を遮断することのできるよう構成したことを特徴とする外音遮断用耳栓。
【請求項２】
充填材を発泡ウレタンとしてなる請求項１記載の外音遮断用耳栓。
【請求項３】
外体の一部に延長部を設けてなる請求項１または２記載の外音遮断用耳栓。
【請求項４】
延長部の長さを１４ミリメートルから１８ミリメートルの範囲としてなる請求項３記載の外音遮断用耳栓。
【請求項５】
本耳栓を一対設けるとともに、双方の耳栓を接続紐にて接続してなる請求項１〜４のいずれかの項に記載の外音遮断用耳栓。
【考案の詳細な説明】
【技術分野】
【０００１】  この考案は、外部騒音を確実に遮断することのできる新規な耳栓に関する。
【背景技術】
【０００２】  従来より、種々の耳栓が多用されているが、本案にて示すように、固い外部とソフトな内部を一体化するとともに、耳穴にフィットするためのソフトフランジ部を有するものは見あたらない。
【考案の概要】
【考案が解決しようとする課題】
【０００３】  耳栓は、外音遮断用物品として広く利用されている。一般的には、遮音材料を耳穴に挿入して外音遮断を行うものであり、なかでも耳穴フィットタイプのものが多用されている。
これは、一方の先端を略半球状に形成した略円柱体形状のソフトな発泡ポリウレタンにて製作され、２個一組として適宜長の細紐にて接続されたものである。
使用時は、この耳栓側部を指で押圧変形させて細棒状態とし、これを耳穴に挿入してから３０秒ほど指でその外部露出部を押さえることにて、この耳栓は元の形状に復帰しようとして膨らんで耳穴にフィットするというものである。以上のように、この耳栓の使用には時間と手間がかかるものであった。すなわち、使用の度にこの耳栓の変形と復元を行わねばならないという問題があり、より簡便に使用できるとともに、その遮音性能も良好なる耳栓が求められている。
本案は以上に鑑み、外径の定まった外体内に遮音のためのソフトな素材を充填する方式を発案して、目的を達する物品を提供するべく開発されたものである。
【課題を解決するための手段】
【０００４】  課題を解決する手段として本案は以下の構成とした。
すなわち、剛性を有する中空の外体を設けるとともに、該外体内に音の遮断性を有する充填材を充填し、外体の一端に、耳穴に挿入可能サイズのフランジ部を有するとともに、柔軟性と弾力性を有するソフトフランジ体を取り付ける。本案は以上の構成よりなる外音を遮断することのできる外音遮断用耳栓である。
【考案の効果】
【０００５】  本案は下記の効果を有する。
１．剛性を有する外体と柔軟性と弾力性を有するソフトなフランジ体により本案主部を構成しており、耳穴への安定挿入および耳穴内壁へのフィット性を高めることができる。
２．遮音性の高い充填材を用いているので外体内の伝達音を確実に遮断することができる。
３．延長部を設けることにより、この延長部をつまんで耳穴に挿入することができて、挿入作業と離脱作業を容易にすることができる。
４．接続紐を設けることにより、耳穴からの取り外しが容易となり、また、紛失の恐れを緩和することができる。
【図面の簡単な説明】
【０００６】
【図１】  本考案の平面図
【図２】  本考案の正面図（一部略）
【図３】  本考案の右側面図（一部略）
【図４】  本考案の構造説明図
【図５】  本考案の使用説明図
【考案を実施するための最良の形態】
【０００７】  以下、本考案の実施形態について説明する。
図において、１は主外体で、剛性を有する例えばＡＢＳ樹脂などにて略中空半球状に形成される部分であって、その一方の端部には下降する中空管状の延長部２が主外体と一体に設けられる。３は副外体で、主外体とその一方の端部外形を一致させた略中空半球状体であって、他端には小円径の空隙段部４および大円径の膨大部５が突出して一体に形成される。なお、双方の外体の接する部分には各々段部が形成されて、図４にて示すように、互いにはまり合う嵌入段部６により双方の外体は圧入状態にて一体化される。
７は発泡ウレタンによる充填材で、図４にて示すように、双方の外体内中空部分に注入充填される。１０は適度の弾力と柔軟性を有するシリコン樹脂によるソフトフランジ体である。このソフトフランジ体は正面視において略円錐台形状の中空体であり、筒状の主部１１に連続してこの主部を覆うように外方に張り出すフランジ部１２を有している。また、主部端には小径段部１３が設けられる。【０００８】  このソフトフランジ体はその中央内部は中空であり、その柔軟性を利用してこのソフトフランジ体の小径段部は前記の空隙段部にはまり込んで、副外体にこのソフトフランジ体を取り付けることができ、また着脱自在である。１４は接続紐で、その一端は紐の結び目もしくは糊付け等にて結球状に形成された結球部１５を有して主外体内に位置し、他方は延長部内中空部を通り外方に露出する。以上の外体とソフトフランジ体の一体物は、一対が設けられて、各々前記の接続紐を介して接続される。なお、充填材は副外体端までと延長部を除く主外体内に充填されて位置する。また、接続紐の結球部サイズは延長部内中空部サイズより大であるため、外体からの接続紐の離脱は阻止される。【０００９】  次に、本案の使用について説明する。本案の使用に際しては、延長部を指でつまんでフランジ部を耳穴に挿入する。この挿入にてフランジ部は耳穴内壁に押圧接触して変形するが、その弾力によって常に耳穴内壁に対し適度の押圧関係を保ちつつその位置が保持される。この状態において、耳穴はピッタリと閉ざされており、外音は遮断される。
すなわち、フランジ部は耳穴内壁に押圧接触しているために、この接触個所にて外音は遮断される。また、外体は耳穴に近接もしくは軽く接触する状態となるので、この外体の内部に充填されている充填材にて外音は遮断もしくは減衰される。
既述のごとく、発泡ウレタンを充填材として用いると、この発泡ウレタンの遮音性が発揮されて、良好な外音遮断ができる。外体には下降する延長部が設けられているので、耳穴に対する外体の位置決めを容易に行うことができる。
この延長部の長さは、実験の結果、１４ミリメートルから１８ミリメートルの範囲が適当で、最適値は１６ミリメートルであることが確かめられた。この延長部が長すぎるとじゃまになり、短すぎると指でつまみにくくなるため、上記範囲が耳たぶ範囲内に収まるサイズで適当である。また、接続紐は４００ミリメートル程度が好ましく、長すぎるとやはりじゃまになる。【００１０】  以上、本案について記したが、本案は従来品と異なり、剛性を有する外体内に充填材を設け、フランジ部を設けて耳穴にフィットさせるところにその特徴がある。
既述した従来品では、使用についての手間と時間がかかるものであったが、本案はその構成上、耳穴に挿入してすぐに使用でき、その着脱も容易なものである。また、フランジと充填材による良好な遮音性能を有するものとなったのである。
なお、充填材として既例では発泡ウレタンを用いたが、充填可能なる他の素材による遮音としてもよい。また、結び紐のない簡易型としても使用することができる。
本案は、ステレオイヤホンにヒントを得て着想したもので、耳穴への着脱性に優れ、読書、旅行、入院その他多方面で利用することができるとともに、比較的簡易な構成であり、安価に製作できるなど、種々の利点を有する耳栓を提供することができるものである。
【符号の説明】
【００１１】  １  主外体
２  延長部
３  副外体
４  空隙段部
５  膨大部
６  嵌入段部
７  充填材
１０  ソフトフランジ体
１１  主部
１２  フランジ部
１３  小径段部
１４  接続紐
１５  結球部
【図１】
0003189556.tif 000003
【図２】
0003189556.tif 000004
【図３】
0003189556.tif 000005
【図４】
0003189556.tif 000006
【図５】
0003189556.tif 000007